(57)【要約】【課題】ユーザの高度に応じたフロアの階数などの位置に基づくサービス情報を提供する。【解決手段】複数の高度情報と、高度情報に関連付けられた位置情報と、位置情報に関連付けられたサービスアクセス情報とを受信する提供情報受信部と、自装置の高度を演算する高度演算部と、高度演算部が演算した高度に基づいて高度差を演算する高度差演算部と、高度演算部が演算した高度差に基づいて前記複数の高度情報のうち１つを特定する位置判断部と、位置判断部が特定した高度情報に関連付けられた前記位置情報を特定し、当該位置情報に関連付けられたサービスアクセス情報に基づいてサービス情報を表示する表示部とを備える。【選択図】図１
2014041046.tif 000002
【特許請求の範囲】
【請求項１】
複数の高度情報と、当該高度情報に関連付けられた位置情報と、当該位置情報に関連付けられたサービスアクセス情報とを受信する提供情報受信部と、
自装置の高度を演算する高度演算部と、
前記高度演算部が演算した高度に基づいて高度差を演算する高度差演算部と、
前記高度演算部が演算した高度差に基づいて前記複数の高度情報のうち１つを特定する位置判断部と、
前記位置判断部が特定した高度情報に関連付けられた前記位置情報を特定し、当該位置情報に関連付けられたサービスアクセス情報に基づいてサービス情報を表示する表示部と、
を備えることを特徴とする端末装置。
【請求項２】
気圧を測定する気圧測定部を備え、
前記高度演算部が、高度と前記気圧測定部で測定した気圧との関係式に基づいて高度を演算する
ことを特徴とする請求項１に記載の端末装置。
【請求項３】
前記提供情報受信部が、提供情報送信装置と通信することで、複数の高度情報と、当該高度情報に関連付けられた位置情報と、当該位置情報に関連付けられた複数のサービスアクセス情報とを受信する、
ことを特徴とする請求項１または請求項２に記載の端末装置。
【請求項４】
表示部が、複数のサービス情報から選択したサービス情報のみを表示画面に表示する
ことを特徴とする請求項３に記載の端末装置。
【請求項５】
前記高度演算部が、ＧＰＳにより高度を取得する
ことを特徴とする請求項１から請求項４の何れか一項に記載の端末装置。
【請求項６】
端末装置の情報処理方法であって、
提供情報受信部が、複数の高度情報と、当該高度情報に関連付けられた位置情報と、当該位置情報に関連付けられたサービスアクセス情報とを受信し、
高度演算部が、自装置の高度を演算し、
高度差演算部が、前記高度演算部が演算した高度に基づいて高度差を演算し、
位置判断部が、前記高度演算部が演算した高度差に基づいて前記複数の高度情報のうち１つを特定し、
表示部が、前記位置判断部が特定した高度情報に関連付けられた前記位置情報を特定し、当該位置情報に関連付けられたサービスアクセス情報に基づいてサービス情報を表示する
ことを特徴とする情報処理方法。
【請求項７】
端末装置のコンピュータを、
複数の高度情報と、当該高度情報に関連付けられた位置情報と、当該位置情報に関連付けられたサービスアクセス情報とを受信する提供情報受信手段、
自装置の高度を演算する高度演算手段、
前記高度演算手段が演算した高度に基づいて、高度差を演算する高度差演算手段、
前記高度差演算手段が演算した高度差に基づいて、前記複数の高度情報のうち１つを特定する位置判断手段、
当該位置判断手段が特定した高度情報に関連付けられた位置情報を特定し、当該位置情報に関連付けられたサービスアクセス情報に基づいてサービス情報を表示する表示手段、
として機能させることを特徴とするプログラム。
【発明の詳細な説明】
【技術分野】
【０００１】
本発明は、サービス情報を表示する端末装置とその情報処理方法及びプログラムに関する。
【背景技術】
【０００２】
ユーザの保持する端末装置にユーザの現在位置を提供する技術が知られている。特許文献１には、携帯可能な位置測定装置の備える気圧計が測定する気圧の変動により、歩行者のいる建物のフロアの階とかエレベータの階とかの推定位置を位置測定装置の表示部に表示させ、その際に推定位置が複数あるときは最も評価係数の小さい推定位置を歩行者の位置であるとする歩行者の位置測定方法が記載されている。
特許文献２には、登山者の携行する端末装置に内蔵される気圧センサーの測定値と現在時刻での当該エリアの予想気圧との気圧差を、高度差に換算して現在高度を推定し、この高度を端末装置の表示部に表示させる高度推定方法が記載されている。
【先行技術文献】
【特許文献】
【０００３】
【特許文献１】特開２００９−２２９２０４号公報
【特許文献２】特開２０１１−２５７２６０号公報
【発明の概要】
【発明が解決しようとする課題】
【０００４】
しかしながら、特許文献１又は２の技術では、位置情報以外の情報は扱っておらず、例えば百貨店やスーパなど複数のフロアを有する商業施設で、ユーザの高度に応じたフロアの階数などの位置に基づくサービス情報をユーザに提供することはできなかった。
【０００５】
この発明は、上記の課題を解決することのできる端末装置、情報処理方法及びプログラムを提供するものである。
【課題を解決するための手段】
【０００６】
上記目的を達成するために、本発明は、複数の高度情報と、当該高度情報に関連付けられた位置情報と、当該位置情報に関連付けられたサービスアクセス情報とを受信する提供情報受信部と、自装置の高度を演算する高度演算部と、前記高度演算部が演算した高度に基づいて高度差を演算する高度差演算部と、前記高度演算部が演算した高度差に基づいて前記複数の高度情報のうち１つを特定する位置判断部と、前記位置判断部が特定した高度情報に関連付けられた前記位置情報を特定し、当該位置情報に関連付けられたサービスアクセス情報に基づいてサービス情報を表示する表示部と、を備えることを特徴とする端末装置である。
【０００７】
また本発明は、気圧を測定する気圧測定部を備え、前記高度演算部が、高度と前記気圧測定部で測定した気圧との関係式に基づいて高度を演算する、ことを特徴とする。
【０００８】
また本発明は、前記提供情報受信部が、提供情報送信装置と通信することで、複数の高度情報と、当該高度情報に関連付けられた位置情報と、当該位置情報に関連付けられた複数のサービスアクセス情報とを受信する、ことを特徴とする。
【０００９】
また本発明は、表示部が、複数のサービス情報から選択したサービス情報のみを表示画面に表示することを特徴とする。
【００１０】
また本発明は、前記高度演算部が、ＧＰＳにより高度を取得することを特徴とする。
【００１１】
また本発明は、端末装置の情報処理方法であって、提供情報受信部が、複数の高度情報と、当該高度情報に関連付けられた位置情報と、当該位置情報に関連付けられたサービスアクセス情報とを受信し、高度演算部が、自装置の高度を演算し、高度差演算部が、前記高度演算部が演算した高度に基づいて高度差を演算し、位置判断部が、前記高度演算部が演算した高度差に基づいて前記複数の高度情報のうち１つを特定し、表示部が、前記位置判断部が特定した高度情報に関連付けられた前記位置情報を特定し、当該位置情報に関連付けられたサービスアクセス情報に基づいてサービス情報を表示する、ことを特徴とする情報処理方法である。
【００１２】
また本発明は、端末装置のコンピュータを、複数の高度情報と、当該高度情報に関連付けられた位置情報と、当該位置情報に関連付けられたサービスアクセス情報とを受信する提供情報受信手段、自装置の高度を演算する高度演算手段、前記高度演算手段が演算した高度に基づいて、高度差を演算する高度差演算手段、前記高度差演算手段が演算した高度差に基づいて、前記複数の高度情報のうち１つを特定する位置判断手段、当該位置判断手段が特定した高度情報に関連付けられた位置情報を特定し、当該位置情報に関連付けられたサービスアクセス情報に基づいてサービス情報を表示する表示手段、として機能させることを特徴とするプログラムである。
【発明の効果】
【００１３】
本発明の端末装置、情報処理方法及びプログラムによれば、ユーザは高度に応じた現在位置を容易に確認できるとともに、高度に応じた現在位置におけるユーザにとって有益な情報を容易に取得できる、という効果が得られる。
【図面の簡単な説明】
【００１４】
【図１】本発明の各実施形態に共通するシステム構成を示す図である。
【図２】本発明の第一の実施形態による端末装置の構成を示すブロック図である。
【図３】本発明の第一の実施形態による端末装置が外部から受信する情報例を示す図である。
【図４】本発明の第一の実施形態による端末装置が表示する画面例を示す図である。
【図５】本発明の第一の実施形態による端末装置の処理フローを示す図である。
【図６】本発明の第二の実施形態による端末装置の構成を示すブロック図である。
【図７】本発明の第二の実施形態による端末装置の処理フローを示す図である。
【発明を実施するための形態】
【００１５】
＜第一の実施形態＞
図１は、本発明の各実施形態に共通するシステム構成を示す。
このシステムは、端末装置１、提供情報送信装置１０１、サーバ１０２、１０３及びネットワークＷを備える。
端末装置１は、提供情報送信装置１０１と無線で交信を行って、必要な情報を取得する。また、端末装置１は、無線でネットワークＷに接続することにより、ネットワークＷを介してサーバ１０２、１０３との交信を行って必要な情報を取得する。
【００１６】
図２は第一の実施形態による端末装置１の構成を示すブロック図である。図２には、提供情報送信装置１０１の構成も併せて示す。
端末装置１は、提供情報受信部２、高度演算部３、高度差演算部４、表示部５、気圧測定部６、記憶部７、位置判断部８及び制御部９を備える。
提供情報送信装置１０１は、位置情報、高度情報及びサービスアクセス情報のデータをそれぞれ格納する記憶装置１１を備える。
端末装置１の提供情報受信部２は、提供情報送信装置１０１から位置情報、高度情報及びサービスアクセス情報の提供を受ける。気圧測定部６は、端末装置１周辺の気圧を測定し、測定した気圧情報を高度演算部３に出力する。高度演算部３は、提供情報受信部２及び気圧測定部６から受け取った情報に基づいて、自装置の高度を演算する。高度差演算部４は、高度演算部３が最初に演算した基準となる高度と、２度目以降に演算した高度とから、基準となる高度に対する高度差を演算する。位置判断部８は、高度差演算部４が演算した高度差に基づいて、複数の高度情報のうち１つを特定する。
記憶部７は、提供情報受信部２が提供情報送信装置１０１から受信した情報と、高度差演算部４が演算した演算結果と、位置判断部８が特定した位置情報とを記憶する。表示部５は、位置判断部８が特定した位置情報に関連付けられているサービスアクセス情報に基づいたサービス情報を、表示画面５０に表示する。
制御部９は、他の部材の動作を制御する。
【００１７】
提供情報送信装置１０１は、例えば、ＮＦＣ（Ｎｅａｒ  Ｆｉｅｌｄ  Ｃｏｍｍｕｎｉｃａｔｉｏｎ、近距離通信）の近距離無線通信機能を用いて、その通信エリアに入った端末装置１に対して、記憶部に記憶されている位置情報、高度情報及びサービスアクセス情報を示す信号を送信する。
端末装置１は、例えば、リーダ／ライタ機能を有するＮＦＣ対応のスマートフォンである。端末装置１の提供情報受信部２は、提供情報送信装置１０１から、位置情報、高度情報及びサービスアクセス情報を示す信号を近距離無線通信により受信する。位置情報、高度情報及びサービスアクセス情報を示す信号は、次に、記憶部７に送られて、データテーブルＴに格納される。
【００１８】
図３は、データテーブルＴの一例を示す図である。データテーブルＴは、高度情報として、−４．０［ｍ］から２８．０［ｍ］までの４メートル毎の高さ、位置情報として各高さに関連付けられた地下１階から８階までの階数、サービスアクセス情報として各階に関連付けられたＵＲＬ（Ｕｎｉｆｏｒｍ  Ｒｅｓｏｕｒｃｅ  Ｌｏｃａｔｏｒ、ウェブサイトのアドレス）というアドレス情報を含んでいる。ただし、この例では、１階は海抜０［ｍ］に位置する。データテーブルＴは記憶部７が記憶する。また記憶部７は、ユーザが現在いる階を示す位置フラグ情報も記憶している。図３では、この位置フラグを「○」印の表示で示す。つまり、データテーブルＴは、複数の高さ情報を含む。
【００１９】
図４は、端末装置１の外観を示す。図４で示すように、端末装置１の表示部５の表示画面５０には、端末装置１のユーザが現在いる階を示すフロアガイド覧５１と地図覧５２とが表示される。例えば、ユーザが端末装置１を持って２階にいる場合、表示部５のフロアガイド覧の２階がハイライト（明るい部分にされる。）される。このハイライトにより、ユーザは、自分が現在２階にいることを確認することができる。
【００２０】
また、ユーザが端末装置１を持って２階にいる場合、端末装置１は、例えば、提供情報受信部２が受信した２階のサービスアクセス情報のＵＲＬに基づいて、ネットワーク上のサーバ１０２（図１）と通信し、２階フロアの地図情報や２階で利用できるサービスチケット情報をサーバから読み出すことができる。そして、表示部５は、読み出した情報に基づいて、２階フロアの地図や２階で利用できるサービスチケットの情報を、表示画面５０に表示する。図４では、２階フロアの地図は、ショップＡとかショップＢとかの位置とか、エレベータの位置とかを示す。また、サービスチケットについては、サービスチケット１〜６が使用可能であることを示す。
また、端末装置１は、他のサーバ１０３に接続することができて、表示画面５０は、そのサーバのサービスメニュへのリンクを表示することもできる。
【００２１】
図５は、本発明の第一の実施形態による端末装置の処理フローを示す。
なお、図５の処理フローを用いた説明では、ユーザが、図３に示した地下１階から８階までのフロアを有する商業施設において、高度演算を行う基準となる１階から他のフロアへ移動する場合について説明をする。
【００２２】
ユーザが商業施設で買い物をする際、例えば１階入り口に設置されている提供情報送信装置１０１に、ユーザが携帯する端末装置１をかざす（近づける）。
なお、フロアでの視認しやすい他の場所、例えば各階のエスカレータ脇やエレベータ脇に提供情報送信装置１０１を設置して、この提供情報送信装置１０１にユーザが携帯する端末装置１をかざしてもよい。ただし、この場合、ユーザが携帯する端末装置１をかざした提供情報送信装置１０１が設置されている階が、基準の階となる。
【００２３】
ユーザが提供情報送信装置１０１に端末装置１をかざすと、端末装置１の提供情報受信部２は、１階に設置された提供情報送信装置１０１からすべての階の位置情報、高度情報及びサービスアクセス情報を受信し、記憶部７のデータテーブルＴとして記憶する（ステップＳ１）。
また、気圧測定部６は、任意の間隔で、端末装置１の周囲の気圧を測定する。
【００２４】
次に、提供情報受信部２は、高度演算の要求を示す信号を高度演算部３に出力する。高度演算部３に高度演算の要求を示す信号が入力されると、高度演算部３は、気圧測定部６から気圧情報を読み出す。高度演算部３は、読み出した１階の気圧情報を用いて高度を演算する。
ここで高度演算部３は、制御部９の制御の下に、気圧と高度の関係式を用いて高度を演算する。そして高度演算部３は、この演算結果を高度差演算部４に出力する。この関係式の例としては、次のものがある。
【００２５】
【数１】
2014041046.tif 000003
【００２６】
式（１）において、“ｈ”は高度、“Ｐ”は気圧、“Ｐ０”は海抜０［ｍ］での気圧、“Ｔ０”は海抜０［ｍ］での温度を示している。また、気圧“Ｐ０”と温度“Ｔ０”は、端末装置１が例えばインターネット上の海面気圧情報や温度情報などから予め入手し保持している値である。
例えば、予め入手し保持した気圧“Ｐ０”が１０１３［ヘクトパスカル］で、温度“Ｔ０”が２６．８５［度］であったとする。このとき気圧測定部６が測定した気圧“Ｐ”が１０１３［ヘクトパスカル］であるとすると、高度演算部３は、式（１）より高度“ｈ”を０［ｍ］と演算し、この０［ｍ］の数値を高度差演算部４に出力する。
【００２７】
次に、高度差演算部４は、高度演算部３が演算した最初の高度演算結果を現在いる１階が基準階であることを示すフラグと共に１階の位置情報、１階の高度情報、１階のサービスアクセス情報と関連付けて記憶部７に記憶する（ステップＳ２）。前の例でいうと、高度差演算部４は、０［ｍ］を１階の位置情報、高度情報、サービスアクセス情報と関連付けて記憶部７のテーブルＴに記憶する。
【００２８】
なお、高度演算部３は、ユーザが任意の間隔で（例えば、１０秒毎に）気圧測定部６から気圧情報を読み出し、その都度高度を演算しその演算結果を高度差演算部４に出力する。高度演算部３は、プログラム終了要求を入力するまで、高度演算と高度差演算部４への高度演算結果の出力とを繰り返す。
【００２９】
そして、高度差演算部４は、高度演算部３による２度目の高度演算結果と高度演算部３による基準となる高度演算結果とから、式（２）より高度差を演算し、その演算結果を位置判断部８に出力する。
【００３０】
【数２】
2014041046.tif 000004
【００３１】
式（２）においてＮは２又はそれよりも大きな整数である。
また、高度差演算部４は、高度演算部３による３度目以降のそれぞれの高度演算結果に対しても高度演算部３による基準となる高度演算結果とから、式（２）より高度差を演算し、その高度差演算を行う度に演算結果を位置判断部８に出力する（ステップＳ３）。
【００３２】
例えば、高度演算部３による２度目の高度演算結果が０［ｍ］、高度演算部３による基準となる高度演算結果が０［ｍ］であったとする。この場合、高度差演算部４は式（２）より高度差を０［ｍ］と演算する。
また、その後ユーザがフロア（階）を移動し、気圧測定部６による気圧測定結果が１０１２．５４［ヘクトパスカル］に変化したとする。その場合、式（１）より高度演算部３による高度演算結果は４［ｍ］となる。したがって高度差演算部４は、式（２）より高度差を４［ｍ］と演算する。
【００３３】
次に、位置判断部８は、高度差演算部４から入力される高度差演算結果が記憶部７に記憶されているデータテーブルＴのどの高さ（高度情報）に相当するかを判断する。そして位置判断部８は、その判断した高さから記憶部７に記憶されているデータテーブルＴを読み取り、階（位置情報）を特定する（ステップＳ４）。
【００３４】
具体的には、例えば、１階での気圧測定部６による気圧測定結果が１０１３［ヘクトパスカル］で、その後ユーザがフロアを移動し、気圧測定部６による気圧測定結果が１０１２．５４［ｈＰａ］に変化したとする。その場合、高度演算部３は式（１）よりそれぞれの気圧に対して高度を０［ｍ］と４［ｍ］と演算する。そして高度差演算部４は、式（２）より高度差を４［ｍ］と演算する。
このとき、高度演算部３による基準となる高度演算結果は１階の高度として記憶部７に記憶されているため、位置判断部８は１階（位置情報）と４［ｍ］（高度差）とから記憶部７のデータテーブルを読み取り、ユーザの現在位置を２階と特定する。
【００３５】
また、位置判断部８は、その特定した階と関連付けられているＵＲＬアドレス情報（サービスアクセス情報）を記憶部７から読み出して、表示部５へそのＵＲＬアドレス情報を出力する。そして表示部５は、そのＵＲＬアドレス情報に基づいてネットワークＷ上のサーバ１０２にアクセスし、特定した階の地図情報やその階で利用できるサービスチケット情報（サービス情報）を取得した後（ステップＳ５）、表示画面５０に出力する。これにより、表示画面５０はサービス情報として特定した階の地図やその階で利用できるサービスチケット情報を表示する（ステップＳ６）。
ここで、表示画面５０は、例えばＬＣＤ（Ｌｉｑｕｉｄ  Ｃｒｙｓｔａｌ  Ｄｉｓｐｌａｙ、液晶表示装置）、有機ＥＬディスプレイなどにより構成されている。
【００３６】
具体的には、図３に示す例でユーザの現在位置を２階と特定した場合、位置判断部８は、２階のＵＲＬアドレス情報を記憶部７から読み出して、表示部５へその２階のＵＲＬアドレス情報を出力する。インターネットＷ上のサーバ１０２にアクセスし、サーバ１０２から２階の地図情報や２階で利用可能なサービスチケット情報を読み出し、それらの情報を表示部５に出力する。そして表示部５は、そのＵＲＬアドレス情報に基づいてネットワーク上のサーバにアクセスし、２階の地図情報や２階で利用できるサービスチケット情報（サービス情報）を取得した後、表示画面５０に出力する。これにより、表示画面５０はサービス情報として特定した２階の地図や２階で利用できるサービスチケット情報を表示する。
【００３７】
以上のように、端末装置１によれば、ユーザが例えば商業施設で買い物をする際、ユーザは現在いる階やその階で利用できるサービスチケットなどを得ることができ、買い物がしやすくなる等の効果を奏する。
【００３８】
＜第二の実施形態＞
図６は第二の実施形態による端末装置１ａの構成を示すブロック図である。端末装置１ａは、提供情報受信部２、高度演算部３、高度差演算部４ａ、表示部５、気圧測定部６、記憶部７、位置判断部８及び制御部９を備える。
第二の実施形態の端末装置１ａの構成については、高度差演算部４ａが第一の実施形態の高度差演算部４と相違する。しかし、第二の実施形態の提供情報受信部２、高度演算部３、表示部５、気圧測定部６、記憶部７、位置判断部８及び制御部９は、第一の実施形態の対応するものと同じなので、その説明を省略する。
次に、第二の実施形態の高度差演算部４ａの動作について説明をする。
【００３９】
図７は本発明の第二の実施形態による端末装置の処理フローを示している。
なお、図７の処理フローを用いた説明では、ユーザが図２に示した地下１階から８階までのフロアを有する商業施設におけて１階から他のフロアへ移動する場合の例を説明する。
また、図７の処理フローと図５の処理フローとで異なる点は、図７の処理フローのステップＳ３１およびステップＳ４１であり、それ以外のステップは図７の処理フローと図５の処理フローとで共通である。したがって、図７のステップ３１、４１について以下に説明をする。
【００４０】
高度演算部３は、ユーザが任意の間隔で（例えば１０秒毎に）気圧測定部６から気圧情報を読み出し、その都度高度を演算しその演算結果を高度差演算部４ａに出力する。プログラム終了要求を入力するまで高度演算部３は高度演算と高度差演算部４ａへの高度演算結果の出力を繰り返す。
【００４１】
そして高度差演算部４ａは、高度演算部３による２度目の高度演算結果と高度演算部３による最初の高度演算結果とから、式（３）より高度差を演算し、その演算結果を位置判断部８に出力する。
【００４２】
【数３】
2014041046.tif 000005
【００４３】
式（３）においてＮは２又はそれよりも大きい整数である。
また、高度差演算部４ａは、高度演算部３による３度目以降のそれぞれの高度演算結果に対して、高度演算部３による２度目以降のそれぞれの演算結果と高度演算部３が１度前に行った演算結果とから、式（３）より高度差を演算し、その高度差演算を行う度に演算結果を位置判断部８に出力する（ステップＳ３）。
【００４４】
次に位置判断部８は、高度差演算部４ａから入力される高度差演算結果が記憶部７に記憶されているデータテーブルのどの高さ（高度情報）に相当するかを判断する。そして位置判断部８は、その判断した高さから記憶部７に記憶されているデータテーブルを読み取り、階（位置情報）を特定し、その特定した階（位置情報）を記憶部７に記憶する（ステップＳ４）。
【００４５】
なお、上記の説明においては、商業施設の１階が海抜０［ｍ］にある場合を例に説明した。しかし、１階は海抜０［ｍ］である必要はない。例えば高度演算部３は、高度演算部３が行った最初の高度演算結果で式（１）の高度“ｈ”を補正した式を用いて高度を演算すればよい。すなわち高度演算部３は、式（１）において“ｈ”を“ｈ−（高度演算部３による最初の高度演算結果）”に置き換えた新たな式を用いて高度を演算すればよい。
具体的には、例えば１階が海抜４［ｍ］にある場合、式（１）において“ｈ”を“ｈ−４［ｍ］”に置き換えた式を用いて高度を演算すればよい。
この新たな式を用いて高度を演算した場合、商業施設の１階が海抜０［ｍ］でない場合でも、高度演算部３による１階での高度演算結果は０［ｍ］となる。
【００４６】
また上記説明では、気圧情報を用いて高度を演算したが、高度演算部３は気圧以外の高度に換算できる情報、例えばＧＰＳ（Ｇｌｏｂａｌ  Ｐｏｓｉｔｉｏｎｉｎｇ  Ｓｙｓｔｅｍ）によって提供される情報を用いて高度を演算してもよい。また、高度演算部３はユーザが任意の間隔で高度を演算し、その演算結果を第一の実施形態では高度差演算部４に、また、第二の実施形態では高度差演算部４ａに出力すると説明した。しかし、ユーザがフロアを移動したときにのみ高度演算部３が高度を演算し、その演算結果を第一の実施形態では高度差演算部４に、また、第二の実施形態では高度差演算部４ａに出力してもよい。例えば表示部５が端末装置１ａの表示画面にアイコン等を表示し、フロアを移動したときにユーザがアイコン等を押下し、その押下を表示部５が検出し、その結果、高度演算部３が高度を演算してもよい。
【００４７】
また上記説明において表示部５は、ステップＳ５の処理後にサービス情報を自動的に表示画面５０に出力して当該サービス情報を表示する場合の例について説明した。しかし表示部５は、例えばユーザによるアイコン等の押下を検出した後にサービス情報を表示するなど、ユーザ操作に応じて該サービス情報を表示してもよい。
【００４８】
また上記説明においては、提供情報送信装置１０１が提供する各階のサービスアクセス情報は１つであったが複数であってもよい。この場合、上述のステップＳ５の前処理において表示部５は、特定した階に関連付けられている複数のサービスアクセス情報を読み取って、それぞれのサービスアクセス情報の示すＵＲＬにアクセスし、各サービス情報を取得して表示画面５０へ出力する。この時、複数のサービスアクセス情報に対する各サービス情報のうち、ユーザから選択を受け付けたサービス情報のみを出力するようにしてもよい。例えばユーザがアイコン等を押下し、その押下を検出して表示部５は地図覧を選択する。すると表示部５は、表示画面５０に地図覧５２のみを表示する。
また上記説明においては、表示部５が１つのサービスアクセス情報を用いて複数のサービス情報（地図、サービスチケット情報）をサーバから取得する場合の例を示しているが、１つのサービスアクセス情報を用いて１つのサービス情報（例えば地図のみ）をサーバから取得するような処理としてもよい。
【００４９】
以上のような端末装置によれば、例えばユーザが商業施設で買い物をする際、ユーザは現在いる階やその階で利用できるサービスチケットなどを得ることができ、買い物がしやすくなる。
【００５０】
上述の端末装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５２】
１・・・端末装置
１ａ・・・端末装置
２・・・提供情報受信部
３・・・高度演算部
４・・・高度差演算部
４ａ・・・高度差演算部
５・・・表示部
６・・・気圧測定部
７・・・記憶部
８・・・位置判断部
９・・・制御部
１１・・・記憶装置
５０・・・表示画面
５１・・・フロアガイド覧
５２・・・地図覧
１０１・・・提供情報送信装置
１０２・・・サーバ
１０３・・・サーバ
Ｔ・・・データテーブル
Ｗ・・・ネットワーク
【図１】
2014041046.tif 000006
【図２】
2014041046.tif 000007
【図３】
2014041046.tif 000008
【図４】
2014041046.tif 000009
【図５】
2014041046.tif 000010
【図６】
2014041046.tif 000011
【図７】
2014041046.tif 000012